(57)【要約】【課題】勃起機能が低下した男性器であっても、無理なく女性器内に挿入でき、挿入後簡単に取り外すことができ、男性器を女性器内に自然な挿入状態で保つことができ、夫婦の円満なスキンシップ、良好な夫婦関係を維持することができる挿入補助器具を提供する。【解決手段】男性器を女性器内に挿入するために、先端が丸く閉塞し、末端が開放された円筒部材をその軸線を通る平面で切断した、閉塞するようカーブした先端半部および末端が開放された円筒半部からなり、男性器の半周を被覆する２つの半円筒状部材を有し、この２つの半円筒状部材は、互いに重ね合わされる円筒半部の縁部の一方の所定の位置に形成された凸部と、他方の対応する位置に形成され、凸部と嵌合する凹部とを少なくとも１組備え、それらの凸部と凹部の嵌合によって、互いに重ね合わされて円筒状を維持し、円筒となった状態で円筒部分を外側から軽く押圧することにより凸部と凹部の嵌合が外れるだけの強度を持つことにより、上記課題を解決する。【選択図】図１
2007283083.tif 000002
【特許請求の範囲】
【請求項１】
男性器を女性器内に挿入するための挿入補助器具であって、
先端の少なくとも一部が丸くかつ閉塞し、末端が開放された円筒部材をその軸線を通る平面で切断した、少なくとも一部が閉塞するようカーブした先端半部および末端が開放された円筒半部からなり、男性器の半周を被覆する２つの半円筒状部材を有し、
この２つの半円筒状部材は、互いに重ね合わされる前記円筒半部の縁部の一方の所定の位置に形成された凸部と、他方の対応する位置に形成され、前記凸部と嵌合する凹部とを少なくとも１組備え、
前記２つの半円筒状部材は、それらの前記凸部と前記凹部の嵌合によって、互いに重ね合わされて円筒状を維持し、円筒となった状態で円筒部分を外側から軽く押圧することにより、あるいは前記２つの半円筒状部材を両側から軽く引っ張ることにより、前記凸部と前記凹部との嵌合が外れるだけの強度を持つことを特徴とする挿入補助器具。
【請求項２】
前記半円筒状部材は、硬質プラスチック製である請求項１に記載の挿入補助器具。
【請求項３】
前記半円筒状部材は、さらに、前記円筒半部の開放末端部に引っ張りやすくするための鍔を備える請求項１または２に記載の挿入補助器具。
【請求項４】
前記半円筒状部材の内周面および外周面には、軟質部材が被覆されている請求項１〜３のいずれかに記載の挿入補助器具。
【請求項５】
前記半円筒状部材の前記先端半部の先端は、丸くかつ閉塞し、前記２つの半円筒状部材は、互いに重ね合わされて円筒状を維持する時に、丸くかつ閉塞された先端部を形成する請求項１〜４のいずれかに記載の挿入補助器具。
【請求項６】
前記半円筒状部材の前記先端半部は、その最先端が切り欠かれており、前記２つの半円筒状部材は、互いに重ね合わされて円筒状を維持する時に、円形の開口が形成された先端部を形成する請求項１〜４のいずれかに記載の挿入補助器具。
【請求項７】
前記２つの半円筒状部材の少なくとも一方の前記円筒半部は、その末端部の両縁部の一部が末端に向かって傾斜するように切り欠かれており、前記２つの半円筒状部材は、互いに重ね合わされて円筒状を維持する時に、前記円筒部分に末端に向かうにつれて大きくなる切欠部を形成し、前記円筒部分を外側から軽く押圧する時に、前記切欠部の先端を支点として２つの前記円筒半部の互いの縁部が接するように動き、２つの前記先端半部の先端が開き、前記凸部と前記凹部との嵌合が外れる請求項１〜６のいずれかに記載の挿入補助器具。
【発明の詳細な説明】
【技術分野】
【０００１】  本発明は、勃起機能の低下した男性器であっても女性器に挿入することができるように補助するための挿入補助器具に関するものである。
【背景技術】
【０００２】  従来より、心因的な要因から、または物理的な要因から、さらには年齢的な要因などの様々な要因から、勃起機能が低下した男性器を物理的または擬似的に回復させようとする試みがなされ、そのために、男性器に装着する器具などが提案されてきた。
しかしながら、男性器の勃起機能の低下は、「性交時に十分な勃起が得られないため、あるいは十分な勃起が維持できないため、満足な性交が行えない状態」と定義されるＥＤ（Ｅｒｅｃｔｉｌｅ  Ｄｙｓｆｕｎｃｔｉｏｎ）と呼ばれる、男性であれば多くの人に起こり得る疾患であるにもかかわらず、「インポテンツ（性的不能）」などと呼ばれ、人間として能力の欠如であるかのように言われ、長い間偏見にさらされてきた。【０００３】  このため、男性器の勃起機能の低下や勃起不全を回復するための器具の使用は、一部の好事家のものであるとして、また、口にするのが恥ずかしいこととして、蔑視されるものであった。
しかしながら、日本では、最近、４０〜７０歳の男性の半数以上が何らかの原因でＥＤになっているという疫学調査の結果もあり、ＥＤに悩む男性は、１０００万人以上とも言われている。
このような状況下で、男性がＥＤにかかると、男性の悩みが大きくなり、夫婦のスキンシップが途絶え、円満な夫婦関係が壊れ、離婚につながる場合があった。年齢的な要因によるＥＤは、避けられないことであるにもかかわらず、長年連れ添った信頼関係による精神的なつながりのある老齢夫婦にも、破綻が訪れる場合があった。
【発明の開示】
【発明が解決しようとする課題】
【０００４】  本発明は、以上のような状況を鑑みてなされたものであって、その課題は、勃起機能が低下した男性器であっても無理なく女性器内に挿入でき、挿入後簡単に取り外すことができ、その結果、男性器を女性器内に自然な挿入状態で保つことができ、夫婦の円満なスキンシップを保つことができ、良好な夫婦関係を維持することができる挿入補助器具を提供することにある。
【課題を解決するための手段】
【０００５】  上記課題を解決するために、本発明は、男性器を女性器内に挿入するための挿入補助器具であって、先端の少なくとも一部が丸くかつ閉塞し、末端が開放された円筒部材をその軸線を通る平面で切断した、少なくとも一部が閉塞するようカーブした先端半部および末端が開放された円筒半部からなり、男性器の半周を被覆する２つの半円筒状部材を有し、この２つの半円筒状部材は、互いに重ね合わされる前記円筒半部の縁部の一方の所定の位置に形成された凸部と、他方の対応する位置に形成され、前記凸部と嵌合する凹部とを少なくとも１組備え、前記２つの半円筒状部材は、それらの前記凸部と前記凹部の嵌合によって、互いに重ね合わされて円筒状を維持し、円筒となった状態で円筒部分を外側から軽く押圧することにより、あるいは前記２つの半円筒状部材を両側から軽く引っ張ることにより、前記凸部と前記凹部との嵌合が外れるだけの強度を持つことを特徴とする挿入補助器具を提供するものである。【０００６】  ここで、前記半円筒状部材は、硬質プラスチック製であることが好ましい。
また、前記半円筒状部材は、さらに、前記円筒半部の開放末端部に引っ張りやすくするための鍔を備えるのが好ましい。
また、前記半円筒状部材の内周面および外周面には、軟質部材が被覆されていることが好ましい。
また、前記半円筒状部材の前記先端半部の先端は、丸くかつ閉塞し、前記２つの半円筒状部材は、互いに重ね合わされて円筒状を維持する時に、丸くかつ閉塞された先端部を形成するのが好ましい。
あるいは、前記半円筒状部材の前記先端半部は、その最先端が切り欠かれており、前記２つの半円筒状部材は、互いに重ね合わされて円筒状を維持する時に、円形の開口が形成された先端部を形成するのが好ましい。
さらに、前記２つの半円筒状部材の少なくとも一方の前記円筒半部は、その末端部の両縁部の一部が末端に向かって傾斜するように切り欠かれており、前記２つの半円筒状部材は、互いに重ね合わされて円筒状を維持する時に、前記円筒部分に末端に向かうにつれて大きくなる切欠部を形成し、前記円筒部分を外側から軽く押圧する時に、前記切欠部の先端を支点として２つの前記円筒半部の互いの縁部が接するように動き、２つの前記先端半部の先端が開き、前記凸部と前記凹部との嵌合が外れるのが好ましい。
【発明の効果】
【０００７】  本発明によれば、ＥＤ等の疾患により勃起機能が低下した男性器であっても無理なく女性器内に挿入でき、挿入後簡単に取り外すことができ、その結果、男性器を女性器内に自然な挿入状態に維持することができ、夫婦の円満なスキンシップを保つことができ、良好な夫婦関係を維持することができる。
また、本発明において、先端に開口が形成されている形態によれば、女性器内に挿入した後、男性器を押し戻すことなく、簡単に取り外すことができる。
また、本発明において、末端部に切欠部が形成されている形態によれば、２つの半円筒状部材の先端側を外すのが容易であり、また、凸部と凹部による嵌合を容易に外すことができ、また、この形態において、先端部に開口が形成されているものでは、外す場合に開口のサイズがより大きくなり、男性器の押し戻しをより確実に防止することができる。
【発明を実施するための最良の形態】
【０００８】  以下に、本発明の挿入補助器具を添付の図面に示される好適実施形態に基づいて詳細に説明する。【０００９】  図１（ａ）、（ｂ）および（ｃ）は、それぞれ本発明の挿入補助器具の第１実施形態の正面図、上面図および先端側から見た側面図である。図２（ａ）および（ｃ）は、それぞれ図１に示す挿入補助器具の分解した状態を示す正面図および側面図であり、（ｂ）は、（ａ）に示す挿入補助器具の下側の補助器具半部の上面図である。
これらの図に示すように、本発明の挿入補助器具１０は、ＥＤ等の疾患により勃起機能が低下した男性器であっても、無理なく女性器内に挿入し、挿入後簡単に取り外して、男性器を女性器内に自然な挿入状態に保つためのものであって、先端が丸く閉塞する先端部１０ａと、末端（基端）が開放された円筒部１０ｂとを持つ円筒状部材を構成するものであり、この円筒状部材をその軸線を通る平面で切断した２つの半円筒状部材からなる補助器具半部１２および１４とを有する。【００１０】  この補助器具半部１２および１４は、それぞれ、男性器の半周を所定の長さに亘って被覆するもので、先端部１０ａを形成する、閉塞するようカーブした先端半部１２ａおよび１４ａと、円筒部１０ｂを形成する、末端が開放された円筒半部１２ｂおよび１４ｂと、円筒半部１２ｂおよび１４ｂの末端にそれぞれ外側に垂直に形成された半楕円環状の鍔１２ｃおよび１４ｃと、先端半部１２ａおよび１４ａの各頂点１２ｄおよび１４ｄから、それぞれ、両側に円筒半部１２ｂおよび１４ｂの末端の各鍔１２ｃおよび１４ｃまで延在する縁部１２ｅおよび１４ｅとを備える。ここで、補助器具半部１２および１４の各鍔１２ｃおよび１４ｃは、縁部１２ｅおよび１４ｅ側では、円筒半部１２ｂおよび１４ｂと、すなわち挿入補助器具１０の円筒部１０ｂの径と同じ径であるが、両縁部１２ｅおよび１４ｅから遠ざかるにつれて、すなわち円筒半部１２ｂおよび１４ｂの円筒部１０ｂの頂点に向かうにつれて伸びる楕円（長円）となる外形状を有する。【００１１】  補助器具半部１２には、その円筒半部１２ｂの対向する縁部１２ｅの略両端に、それぞれ２個、合計４個の凸部１６が形成されている。
一方、補助器具半部１４には、その円筒半部１４ｂの対向する縁部１４ｅであって、補助器具半部１２の縁部１２ｅと縁部１４ｅとを互いに重ねあわせて円筒状の挿入補助器具１０を組み立てる時に、補助器具半部１２の縁部１２ｅに形成された４個の凸部１６に対応する位置に、すなわち縁部１４ｅの略両端に、それぞれ２個、合計４個の凹部１８が形成されている。【００１２】  ここで、補助器具半部１２の縁部１２ｅの４個の凸部１６と、補助器具半部１４の縁部１４ｅの４個の凹部１８とはそれぞれ嵌合して、補助器具半部１２の縁部１２ｅと補助器具半部１４の縁部１４ｅとを互いに重ねあわせて挿入補助器具１０を組み立てた時に、本発明の挿入補助器具１０が円筒状態を保つのに寄与する。
一方、補助器具半部１２の４個の凸部１６と補助器具半部１４の４個の凹部１８とは、それぞれ、両補助器具半部１２および１４を重ね合わせて円筒状の挿入補助器具１０となった状態で、その円筒部１０ｂを外側から軽く押圧することにより、または２つの補助器具半部１２および１４を、例えばその鍔１２ｃおよび１４ｃを両側から軽く引っ張ることにより外れる程度の強度で嵌合している。【００１３】  すなわち、両補助器具半部１２および１４は、各凸部１６と対応する各凹部の嵌合により、円筒状に組み合わされた状態を維持する保形性を有し、組み合わされた円筒部１０ｂを外側から軽く押圧することにより、または２つの補助器具半部１２および１４を、例えばその鍔１２ｃおよび１４ｃを両側から軽く引っ張ることにより、両者の嵌合が外れる程度の変形性を持つ強度が必要である。このため、補助器具半部１２および１４は、このような保形性と変形性とを兼ね備えた強度を持つ材料で製造するのが好ましい。なお、両補助器具半部１２および１４の製造材料としては、このような強度を持つ材料であれば、特に制限的ではなく、どのような材料でも良いが、例えば、プラスチック、特に硬質プラスチックや、ゴム材料などを挙げることができる。【００１４】  ここで、プラスチックとしては、ポリプロピレン（ＰＥ）、ポリプロピレン（ＰＰ）、ポリスチレン（ＰＳ）、ＡＳ樹脂（ＡＳ）、ＡＢＳ樹脂（ＡＢＳ）、メタクリル樹脂（ＰＭＭＡ）等のアクリル樹脂、ポリ塩化ビニル（ＰＶＣ）、ポリアセタール（ＰＯＭ）、ナイロン等のポリアミド（ＰＡ）、ポリカーボネート（ＰＣ）、変性ポリフェニレンエーテル（ＰＰＥ）、ポリブチレンテレフタレート（ＰＢＴ）、ポリエチレンテレフタレート（ＰＥＴ）、ポリサルフォン（ＰＳＦ）、ポリエーテルサルフォン（ＰＥＳ）、ポリフェニレンサルファイド（ＰＰＳ）、ポリアミドイミド（ＰＥＩ）、ポリメチルペンテン（ＴＰＸ）などの熱可塑性樹脂、および、フェノール樹脂（ＰＦ）、ユリア樹脂（ＵＦ）、メラミン樹脂（ＭＦ）、エポキシ樹脂（ＥＰ）、ジアリルフタレート樹脂（ＰＤＡＰ）などの熱硬化性樹脂を挙げることができるが、特に、プラスチックとしては、ポリプロピレン（ＰＰ）が好ましく、特に好ましくは、抗菌加工が施されている材料が好ましい。
なお、後述するが、両補助器具半部１２および１４の表面に軟質材料で被覆する場合には、プラスチックやゴム材料の他、成型が可能であれば、金属や、紙、木材、陶器や磁器などの材料も利用可能である。【００１５】  なお、補助器具半部１２および１４の厚みは、上述した保形性と変形性とを兼ね備えた強度を維持でき、補助器具半部１２および１４の縁部１２ｅおよび１４ｅに凸部１６および凹部１８を形成できれば、特に制限的ではないが、１〜４ｍｍとするのが好ましく、より好ましくは２〜３ｍｍとするのが良い。
なお、補助器具半部１２および１４の円筒半部１２ｂおよび１４ｂの内径、すなわち、挿入補助具１０の円筒部１０ｂの内径は、内部に男性器を収納でき、その外形が女性器に挿入できれば、特に制限的ではないが、例えば、３０〜４５ｍｍとするのが好ましく、より好ましくは３６〜３８ｍｍとするのが良い。
また、凸部１６および凹部１８の寸法や形状や数も、特に制限的ではなく、必要とされる嵌合強度に応じて適宜設定すればよい。【００１６】  また、補助器具半部１２および１４の長さ、すなわち挿入補助器具１０の長さも、内部に男性器を収納でき、その外形が女性器に挿入でき、また、挿入後に取り出すことができれば、特に制限的ではないが、例えば、７０〜１００ｍｍとするのが好ましく、より好ましくは、８０〜８５ｍｍとするのが良い。
また、補助器具半部１２および１４の円筒半部１２ｂおよび１４ｂの長さ、すなわち、挿入補助具１０の円筒部１０ｂの長さも、同様に、特に制限的ではなく、例えば、４０〜６０ｍｍとするのが好ましく、より好ましくは、４５〜５０ｍｍとするのが良い。
なお、補助器具半部１２および１４の先端半部１２ａおよび１４ａ、すなわち、挿入補助具１０の先端部１０ａは、内部に男性器の先端部分を収納でき、その外形が女性器に挿入でき、先が丸くなっていれば、その形状や寸法は、特に制限的ではなく、必要に応じて適宜設定すればよい。例えば、その長さは、３０〜４５ｍｍとするのが好ましく、より好ましくは３６〜３８ｍｍとするのが良い。その先端の形状も、球面、楕円面、放物線面などのなめらかな凸状であれば良い。【００１７】  ここで、補助器具半部１２および１４の内周面、すなわち内側の表面および外周面、すなわち外側の表面には、男性器および女性器を傷つけることが無いような軟質の材料で被覆されているのが好ましい。軟質の材料としては、天然ゴムや合成ゴムやソフトシリコンなど、特に、コンドームなどの製造材料などを用いるのが好ましい。
で嵌合している。【００１８】  本発明に係る挿入補助器具１０は、基本的に以上のように構成されるものであり、以下に、その作用、その使用方法について説明する。
図３は、それぞれ図１に示す本発明の挿入補助器具の男性器への装着方法を示す説明図であり、（ａ）および（ｃ）は、上から見た図であり、（ｂ）は、横から見た図である。また、図４（ａ）、（ｂ）、（ｃ）および（ｄ）は、それぞれ図１に示す本発明の挿入補助器具の使用方法を示す説明図であり、いずれも、横から見た図である。【００１９】  まず、図３（ａ）に上側から見て示すように、男性器２０に挿入補助器具１０の補助器具半部１４を下側からあてがう。次に、図３（ｂ）に横側から見て示すように、男性器２０を収容する補助器具半部１４に対し上側から補助器具半部１２を被せ、補助器具半部１２の４つの凸部１６とこれに対応する補助器具半部１４の４つの凹部１８とを位置合わせして補助器具半部１２と１４とを外側から押圧し、それぞれの凸部１６と凹部１８とを嵌合し、男性器２０に挿入補助器具１０を装着する。
続いて、挿入補助器具１０の鍔１２ｃおよび１４ｃが左右に来るように、男性器２０に被着された挿入補助器具１０をそのまま９０度回転させる。こうして、図３（ｃ）に上側から見て示すように、本発明の挿入補助器具１０の男性器２０への装着が完了する。
なお、図示例の挿入補助器具１０においては、補助器具半部１４を下側にして上側から補助器具半部１２を被せて用いているが、本発明はこれに限定されず、補助器具半部１２を下側にして上側から補助器具半部１４を被せて使用して良いのはもちろんであり、同様の効果を挙げることができる。【００２０】  図４（ａ）は、図３（ｃ）と同様に、本発明の挿入補助器具１０の男性器２０への装着が完了した状態を示す。
続いて、図４（ａ）に示す、男性器２０への装着が完了した本発明の挿入補助器具１０を、そのまま、図４（ｂ）に示すように、例えば、片手で包むように保持しながら、女性器２２にあてがうように挿入していく。
次に、図４（ｃ）に示すように、男性器２０を収納した挿入補助器具１０が、半分程度挿入された時、挿入補助器具１０の円筒半部１２ｂおよび１４ｂの末端部を外側から手でそっと押圧して、凸部１６と凹部１８との嵌合を外し、挿入補助器具１０の補助器具半部１２と１４とを、その末端部から両手で鍔１２ｃおよび１４ｃをつかんで左右にゆっくり開いてゆく。ここで、男性器２０が女性器２２に半分以上挿入されていることを確認し、確認できたら、図４（ｄ）に示すように、開いた挿入補助器具１０の補助器具半部１２と１４とを、各鍔１２ｃおよび１４ｃを両手でつかんで、左右にゆっくり引き抜く。こうして、挿入補助器具１０の補助器具半部１２と１４とを完全に引き抜いたあと、男性器２０を徐々に女性器２２の奥まで挿入していくことができる。【００２１】  次に、図５（ａ）〜図６（ｂ）を参照して、本発明の挿入補助器具の第２実施形態について説明する。
図５（ａ）および（ｂ）は、それぞれ本発明の挿入補助器具の第２実施形態の正面図および先端側から見た側面図である。図６（ａ）および（ｃ）は、それぞれ、図５に示す挿入補助器具の分解した状態を示す正面図および側面図であり、（ｂ）は、（ａ）に示す挿入補助器具の下側の補助器具半部の上面図である。
なお、これらの図に示すように、本実施形態の挿入補助器具３０は、先端が最先端を除いて丸く閉塞する先端部３０ａと、末端（基端）が開放された円筒部３０ｂと、先端部３０ａの最先端に形成された開口３０ｃとを持つ円筒状部材を構成するもので、この円筒状部材をその軸線を通る平面で切断した２つの半円筒状部材からなる補助器具半部３２および３４とを有する。【００２２】  なお、図５（ａ）〜（ｂ）および図６（ａ）〜（ｃ）に示す第２実施形態の挿入補助器具３０では、その補助器具半部３２、３４の各先端半部３２ａ、３４ａの丸くかつ閉塞する先端部分の最先端が切り欠かれて、切欠部３２ｄ、３４ｄを形成しており、両補助器具半部３２、３４が互いに重ね合わされて円筒状を維持する時に、丸い先端部３０ａの最先端に円形の開口３０ｃが形成されるのに対し、図１（ａ）〜（ｃ）および図２（ａ）〜（ｃ）に示す第１実施形態の挿入補助器具１０では、その補助器具半部１２、１４の各先端半部１２ａ、１４ａの先端部分が丸くかつ閉塞して頂点１２ｄ、１４ｄを形成しており、両補助器具半部１２、１４が互いに重ね合わされて円筒状を維持する時に、丸くかつ閉塞された先端部１０ａが形成されるの点で、両者は相違する。
しかしながら、第２実施形態の挿入補助器具３０は、上述した相違点を除いて、第１実施形態の挿入補助器具１０とほぼ同様の構成を有するものであるので、同様な構成要素についての詳細な説明は省略し、主として相違点について説明する。【００２３】  図６（ａ）〜（ｃ）に示すように、第２実施形態の補助器具半部３２および３４は、それぞれ、男性器の半周を所定の長さに亘って被覆するもので、先端部３０ａを形成する、最先端を除いて閉塞するようカーブした先端半部３２ａおよび３４ａと、円筒部３０ｂを形成する、末端が開放された円筒半部３２ｂおよび３４ｂと、円筒半部３２ｂおよび３４ｂの末端にそれぞれ外側に垂直に形成された半楕円環状の鍔３２ｃおよび３４ｃと、先端半部３２ａおよび３４ａの各最先端に設けられた切欠部３２ｄおよび３４ｄと、これらの切欠部３２ｄおよび３４ｄから、それぞれ、両側に円筒半部３２ｂおよび３４ｂの末端の各鍔３２ｃおよび３４ｃまで延在する縁部３２ｅおよび３４ｅとを備える。ここで、切欠部３２ｄおよび３４ｄは、半円形に切り欠かかれているのが好ましい。
また、補助器具半部３２の円筒半部３２ｂの対向する縁部３２ｅの略両端に、それぞれ２個、合計４個の凸部３６が形成され、補助器具半部３４には、補助器具半部３２と重ねあわせて挿入補助器具３０を組み立てる時に、補助器具半部３２の４個の凸部３６と嵌合する合計４個の凹部３８が円筒半部３２ｂの対向する縁部３４ｅの対応する位置に形成されている。【００２４】  本実施形態の挿入補助器具３０においては、補助器具半部３２の縁部３２ｅの４個の凸部３６と補助器具半部３４の縁部３４ｅの４個の凹部３８とをそれぞれ嵌合することにより、補助器具半部３２と補助器具半部３４とを互いに重ね合わせて挿入補助器具３０を組み立てた時に、互いに重ね合わされた先端半部３２ａおよび３４ａの各最先端に設けられた切欠部３２ｄおよび３４ｄによって、挿入補助器具３０の先端部３０ａの最先端に円形の開口３０ｃが形成される。
ここで、本第２実施形態の挿入補助器具３０の開口３０ｃは、その形状に特に制限はないが、例えば、円形であるのが好ましく、また、サイズも特に制限はないが、挿入補助器具３０の寸法が、第１実施形態の挿入補助器具１０と同様な寸法であるとき、開口３０ｃは、直径１５ｍｍ程度、例えば、１２〜１８ｍｍの円形開口とするのが良い。【００２５】  なお、この第２実施形態の挿入補助器具３０の補助器具半部３２および３４の円筒半部３２ｂおよび３４ｂ、ならびに鍔３２ｃおよび３４ｃは、第１実施形態の挿入補助器具１０の補助器具半部１２および１４の円筒半部１２ｂおよび１４ｂ、ならびに鍔１２ｃおよび１４ｃと同様であり、本第２実施形態の挿入補助器具３０の補助器具半部３２および３４、その先端半部３２ａおよび３４ａ、ならびに縁部３２ｅおよび３４ｅは、それらの先端形状を除いて、それらの構成、材質、機能において、第１実施形態の挿入補助器具１０の補助器具半部１２および１４、その先端半部１２ａおよび１４ａ、ならびに縁部１２ｅおよび１４ｅと同様である。【００２６】  本実施形態の挿入補助器具３０の使用方法は、図４（ａ）〜（ｄ）に示す第１実施形態の挿入補助器具１０の使用方法と同様に行えば良く、本実施形態の挿入補助器具３０が男性器２０（図４（ａ）参照）に装着された後、男性器２０を収納した挿入補助器具３０が女性器２２（図４（ｃ）参照）に半分程度挿入された時、挿入補助器具３０の円筒半部３２ｂおよび３４ｂの末端部を外側から手でそっと押圧して、凸部３６と凹部３８との嵌合を外し、挿入補助器具３０の補助器具半部３２と３４とを、その末端部から両手で鍔３２ｃおよび３４ｃをつかんで左右に開き、開いた挿入補助器具３０の補助器具半部３２と３４とを、各鍔３２ｃおよび３４ｃを両手でつかんで、左右に引き抜くことができる。
ここで、この実施形態の挿入補助器具３０では、先端に開口３０ｃが形成されているので、女性器２２（図４（ｃ）参照）から、そこに挿入された挿入補助器具３０を分解し、分解した補助器具半部３２および３４を引き抜くとき、男性器２０への抵抗を減らすころができるので、女性器２２内から男性器を押し戻すことなく、簡単かつ確実に引き抜くことができ、取り外すことができる。【００２７】  次に、図７（ａ）〜図１０（ｆ）を参照して、本発明の挿入補助器具の第３実施形態について説明する。
図７（ａ）、（ｂ）および（ｃ）は、それぞれ本発明の挿入補助器具のさらに他の実施形態の正面図、末端側および先端側から見た側面図である。図８（ａ）および（ｃ）は、それぞれ図７に示す挿入補助器具の分解した状態を示す正面図および側面図であり、（ｂ）は、（ａ）に示す挿入補助器具の下側の補助器具半部の上面図である。図９（ａ）、（ｂ）および（ｃ）は、それぞれ図７に示す挿入補助器具の一使用形態を示す正面図、末端側および先端側から見た側面図である。図１０（ａ）、（ｂ）、（ｃ）、（ｄ）、（ｅ）および（ｆ）は、それぞれ図７に示す挿入補助器具の使用方法を示す説明図である。
なお、これらの図に示すように、本実施形態の挿入補助器具５０は、先端が最先端を除いて丸く閉塞する先端部５０ａと、末端（基端）が開放された円筒部５０ｂと、先端部５０ａの最先端に形成された開口５０ｃと、円筒部５０ｂの末端部に対向して形成される切欠５０ｄとを持つ円筒状部材を構成するもので、この円筒状部材をその軸線を通る平面で切断した２つの半円筒状部材からなる補助器具半部５２および５４とを有する。【００２８】  なお、図７（ａ）〜（ｃ）および図８（ａ）〜（ｃ）に示す第３実施形態の挿入補助器具５０では、その補助器具半部５２、５４の各円筒半部５２ｂ、５４ｂの両縁部５２ｅ、５４ｅの末端部分の一部が共に末端に向かって傾斜するように切り落されて、あるいは切り欠かれて切欠部５２ｆ、５４ｆを形成しており、両補助器具半部３２、３４が互いに重ね合わされて円筒状を維持する時に、円筒部５０ｂの末端の両側に末端に向かうにつれて大きくなる２つの３角形状の切欠５０ｄが形成される。これに対し、図５（ａ）〜（ｂ）および図６（ａ）〜（ｃ）に示す第２実施形態の挿入補助器具３０では、その補助器具半部３２、３４の各円筒半部３２ｂ、３４ｂの末端部分は半円形状を成し、両者の両縁部３２ｅ、３４ｅはぴったりと隙間なく重ね合せられて切欠のない円形を成す点で、両者は相違する。【００２９】  また、第３実施形態の挿入補助器具５０は、その補助器具半部５２、５４の各先端半部５２ａ、５４ａの丸い先端の最先端の切欠部５２ｄ、５４ｄによって形成される先端部５０ａの開口５０ｃを有し、第２実施形態の挿入補助器具３０は、その補助器具半部３２、３４の各先端半部３２ａ、３４ａの丸い先端の最先端の切欠部３２ｄ、３４ｄによって形成される先端部３０ａの開口３０ｃを有している点で、両者は同様であるが、補助器具半部５２、５４を重ねた時の開口５０ｃは２つの円弧を重ねた形状となるのに対し、開口３０ｃは円形であり、開口の形状の点で、両者は相違する。さらに、第３実施形態の挿入補助器具５０では、その補助器具半部５２、５４の両縁部５２ｅ、５４ｅに形成される凸部５６および凹部５８の数が、それぞれ２個であるのに対し、第２実施形態の挿入補助器具３０では、その補助器具半部３２、３４の両縁部３２ｅ、３４ｅに形成される凸部３６および凹部３８の数が、それぞれ４個である点でも相違する。
しかしながら、第３実施形態の挿入補助器具５０は、上述した相違点を除いて、第２実施形態の挿入補助器具３０とほぼ同様の構成を有するものであるので、同様な構成要素についての詳細な説明は省略し、主として相違点について説明する。【００３０】  図８（ａ）〜（ｃ）に示すように、第２実施形態の補助器具半部５２および５４は、それぞれ、男性器の半周を所定の長さに亘って被覆するもので、先端部５０ａを形成する、最先端を除いて閉塞するようカーブした先端半部５２ａおよび５４ａと、円筒部５０ｂを形成する、末端（基端）が開放された円筒半部５２ｂおよび５４ｂと、円筒半部５２ｂおよび５４ｂの末端にそれぞれ外側に垂直に形成された半楕円環状の鍔５２ｃおよび５４ｃと、先端半部５２ａおよび５４ａの各最先端に設けられた（第１）切欠部５２ｄおよび５４ｄと、これらの切欠部５２ｄおよび５４ｄから、それぞれ、両側に円筒半部５２ｂおよび５４ｂの末端側まで延在する縁部５２ｅおよび５４ｅと、各円筒半部５２ｂおよび５４ｂの両縁部５２ｅおよび５４ｅの末端の一部を末端に向かって傾斜するように切り欠かれた（落とされた）（第２）切欠部５２ｆ、５４ｆとを備える。ここで、第１切欠部３２ｄおよび３４ｄは、半円形より小さい弓形（円弧の一部を成すよう）に切り欠かれているのが好ましい。また、第２切欠部５２ｆ、５４ｆは、各円筒半部５２ｂおよび５４ｂの両縁部５２ｅおよび５４ｅの末端の角部が直線的に切り落とされている、すなわち、各円筒半部５２ｂおよび５４ｂの両縁部５２ｅおよび５４ｅの末端側が３角形状に切り欠かれているのが好ましい。【００３１】  また、補助器具半部５２の円筒半部５２ｂの対向する両縁部５２ｅの端部、すなわち、切欠部５２ｆの始端部近傍に、それぞれ１個、合計２個の凸部５６が形成され、補助器具半部５４には、補助器具半部５２と重ねあわせて挿入補助器具５０を組み立てる時に、補助器具半部５２の２個の凸部５６と嵌合する合計２個の凹部５８が円筒半部５２ｂの対向する縁部５４ｅの対応する位置に形成されている。
なお、本実施形態の補助器具半部５２の凸部５６と補助器具半部５４の凹部５８との嵌合は、第２実施形態の補助器具半部３２の凸部３６と補助器具半部３４の凹部３８との嵌合と同様に、組み立てられた挿入補助器具５０を振っても外れないが、手で押圧したときには簡単に外れるような嵌め合い寸法となるように形成されている。このため、本実施形態の凸部５６と凹部５８との嵌合は、嵌合する凸部５６と凹部５８との数が嵌合する凸部３６と凹部３８との数より少ない（の半分である）ので、第２実施形態の凸部３６と凹部３８との嵌合より、より強い嵌合であるのは言うまでもない。【００３２】  本実施形態の挿入補助器具５０においては、補助器具半部５２の縁部５２ｅの２個の凸部５６と補助器具半部５４の縁部５４ｅの２個の凹部５８とをそれぞれ嵌合することにより、補助器具半部５２と補助器具半部５４とを互いに重ね合わせて挿入補助器具５０を組み立てた時に、互いに重ね合わされた先端半部５２ａおよび５４ａの各最先端に設けられた弓形状の切欠部５２ｄおよび５４ｄによって、挿入補助器具５０の先端部５０ａの最先端に弓形を重ねた開口５０ｃが形成される。
ここで、本第２実施形態の挿入補助器具５０の開口５０ｃは、その形状に特に制限はないが、例えば、第１切欠部５２ｄおよび５４ｄの２つの弓形を弦の側で重ね合わせた形状とするのが好ましい。
すなわち、図７（ｃ）および図８（ｃ）に示すように、第１切欠部５２ｄおよび５４ｄによって形成される開口５０ｃは、補助器具半部５２および補助器具半部５４の円筒半部５２ａおよび５４ａの中心から距離ｃだけ外側に偏心した位置を中心とし、半径Ｒの円弧を持つ２つの弓形を重ねて形成され、弓形の弦の長さに相当する長手方向の横幅ａおよびこの横幅ａに直交する短手方向の縦幅ｂを持つ形状であるのが好ましい。【００３３】  また、開口５０ｃのサイズも特に制限はないが、挿入補助器具５０の寸法が、第２実施形態の挿入補助器具３０と同様な寸法であるとき、開口５０ｃは、半径Ｒが１０ｍｍ程度の円の中心角が１２０度程度の円弧を重ね合わせた形状とするのが良い。すなわち、半径Ｒ、偏心距離ｃ、横幅ａ、縦幅ｂは、それぞれ、１０ｍｍ程度、５ｍｍ程度、１７ｍｍ程度、１０ｍｍ程度であるのが好ましい。これは、詳細は後述するが、補助器具半部５２の凸部５６と補助器具半部５４の凹部５８とを嵌合した後、図９（ａ）〜（ｃ）に示すように、対応する第２切欠部５２ｆおよび５４ｆ同士を接触させるようにして、先端半部５２ａと５４ａとを開いた時に、開口５０ｃが大きくなり、最先端に２０ｍｍ程度の円形の開口５０ｅが得られるようにするためである。
なお、例えば、開口５０ｃの半径Ｒ、偏心距離ｃ、横幅ａ、縦幅ｂは、それぞれ、８〜１２ｍｍ程度、４〜６ｍｍ程度、１４〜２１ｍｍ程度、８〜１２ｍｍ程度であり、開口５０ｅの半径が１６〜２４ｍｍとなるのが好ましい。【００３４】  上述したように、本第３実施形態の挿入補助器具５０においては、第２切欠部５２ｆおよび５４ｆが、補助器具半部５２および５４の円筒半部５２ｂおよび５４ｂの両縁部５２ｅおよび５４ｅと末端の鍔５２ｃおよび５４ｃの両端との間に形成されている。
第２切欠部５２ｆおよび５４ｆは、図７（ａ）〜（ｃ）に示すように、補助器具半部５２と補助器具半部５４とを重ねてその凸部５６と凹部５８とを嵌合させて組み立てられた挿入補助器具５０において、図９（ａ）〜（ｃ）に示すように、円筒半部５２ｂおよび５４ｂの末端部同士、または鍔５２ｃおよび５４ｃ同士を押圧して、円筒半部５２ｂおよび５４ｂの末端の第２切欠部５２ｆおよび５４ｆを互いに接触させるように、すなわち、切欠５０ｄをなくすように、第２切欠部５２ｆおよび５４ｆの近傍の両縁部５２ｅおよび５４ｅの末端部に形成された凸部５６と凹部５８との嵌合部を支点として、補助器具半部５２と補助器具半部５４とを、それらの先端の第１切欠部５２ｄと５４ｄとが離間するように回動させ、第１切欠部５２ｄと５４ｄとによって形成されていた非円形の開口５０ｃを拡大させて円形化し、拡大された円形の開口５０ｅを形成するためのものである。
ここで、第２切欠部５２ｆおよび５４ｆの長さは、１６ｍｍ程度、深さは、１．８ｍｍ程度、例えば、長さは、１４〜１８ｍｍ、深さは、１．５〜２．１ｍｍとするのが好ましい。なお、凸部５６および凹部５８は、第２切欠部５２ｆおよび５４ｆと縁部５２ｅおよび５４ｅとの境目を中心とする半径２．５ｍｍ程度の円形の凸部および凹部とするのが好ましい。【００３５】  なお、この第３実施形態の挿入補助器具５０の鍔５２ｃおよび５４ｃは、第２実施形態の挿入補助器具３０の鍔３２ｃおよび３４ｃと同様であり、本第３実施形態の挿入補助器具５０の補助器具半部５２および５４、その先端半部５２ａおよび５４ａ、その円筒半部５２ｂおよび５４ｂ、ならびに縁部５２ｅおよび５４ｅは、それらの形状を除いて、それらの構成、材質、機能において、第２実施形態の挿入補助器具３０の補助器具半部３２および３４、その先端半部３２ａおよび３４ａ、その円筒半部３２ｂおよび３４ｂ、ならびに縁部３２ｅおよび３４ｅと同様である。【００３６】  本第３実施形態の挿入補助器具５０の使用方法も、基本的には、図３（ａ）〜（ｃ）および図４（ａ）〜（ｄ）に示す第１実施形態の挿入補助器具１０の使用方法と同様に行えば良いが、まず、図３（ａ）〜（ｃ）に示す第１実施形態の挿入補助器具１０と同様にして、本実施形態の挿入補助器具５０が男性器２０（図１０（ａ）参照）に装着された後の本実施形態の挿入補助器具５０の作用および使用方法について、図１０（ａ）〜（ｆ）を参照して説明する。【００３７】  まず、本実施形態の挿入補助器具５０では、補助器具半部５４によって男性器２０を保持し、上から補助器具半部５２を被せ、凸部５６と凹部５８とを確実に嵌合させて、両者の確実な嵌合を確認後、本実施形態の挿入補助器具５０を９０度回転させて、挿入補助器具５０を男性器２０に装着させるが、図１０（ａ）は、本実施形態の挿入補助器具５０への男性器２０への装着が完了した状態を示す。
続いて、図１０（ａ）に示す、男性器２０への装着が完了した本発明の挿入補助器具１０を、そのまま、図１０（ｂ）に示すように、例えば、片手で包むように保持しながら、女性器２２にあてがうようにして、ゆっくりと挿入を開始する。
続いて、図１０（ｃ）に示すように、男性器２０を収納した挿入補助器具１０を３分の２（２／３）以上となるまでゆっくり挿入する。【００３８】  次に、図１０（ｄ）に示すように、男性器２０を収納した挿入補助器具１０が３分の２まで挿入された時、挿入補助器具５０の円筒半部５２ｂおよび５４ｂの末端部を外側から内側に向けて手でそっと押圧して、円筒半部５２ｂおよび５４ｂの末端の第２切欠部５２ｆおよび５４ｆを互いに接触させ、切欠５０ｄをなくすように、両縁部５２ｅおよび５４ｅの末端部に形成された凸部５６と凹部５８との嵌合部を支点として、補助器具半部５２と補助器具半部５４とを回動させ、両者の先端とをゆっくりと拡げる。こうして、補助器具半部５２と補助器具半部５４との回動により、それらの先端の第１切欠部５２ｄと５４ｄとが離間し、第１切欠部５２ｄと５４ｄとによって形成されていた非円形の開口５０ｃを拡大させて円形化し、拡大された円形の開口５０ｅが形成される。【００３９】  次に、図１０（ｅ）に示すように、補助器具半部５２と補助器具半部５４とを、左右に分けながらゆっくりと抜き始める。すなわち、凸部５６と凹部５８との嵌合を外し、挿入補助器具５０の補助器具半部５２と５４とを、その末端部から両手で鍔５２ｃおよび５４ｃをつかんで左右にゆっくりと開きながら、引き抜いてゆく。
この時、補助器具半部５２および補助器具半部５４が、男性器２０の頭部を押し戻すことが無いように、先端に形成される拡大された開口５０ｅが利用されて、各鍔５２ｃおよび５４ｃによってゆっくり引き抜かれてゆく。すなわち、本実施形態では、装着時の開口５０ｃよりも大きな開口５０ｅを設けることができるので、補助器具半部５２および補助器具半部５４を引き抜く際に、男性器２０の頭部が押し戻されないようになる。【００４０】  こうして、図１０（ｆ）に示すように、両手で鍔３２ｃおよび３４ｃをつかんで、挿入補助器具５０の補助器具半部５２と５４とを完全に引き抜いたあと、男性器２０を徐々に女性器２２の奥まで挿入していくことができる。
本実施形態の挿入補助器具５０では、このような機能を持つ第２切欠部５２ｆおよび５４ｆを設けることにより、女性器２２からそこに挿入された挿入補助器具５０を分解し、分解した補助器具半部５２および５４を引き抜くとき、挿入時に先端に形成された開口５０ｃより大きな開口５０ｅとすることができるので、男性器２０への抵抗を減らし、男性器２０の押し戻しを防止することができ、女性器２２内から男性器を押し戻すことなく、簡単かつ確実に引き抜くことができ、取り外すことができる。
こうして、本第３実施形態の挿入補助器具５０は、第１実施形態の挿入補助器具１０および第２実施形態の挿入補助器具３０よりも、男性器２０を保持して女性器２２内に深く挿入されることができ、また、引き抜かれる際にも、より男性器２０への抵抗を減らすことができ、男性器２０の押し戻しを防止することができるので、女性器２２内から男性器を押し戻すことなく、より、簡単かつ確実に引き抜くことができ、その結果、取り外すことができる。【００４１】  こうして、ＥＤ等の疾患により、勃起機能が低下した、あるいは勃起不全の男性器であっても無理なく女性器内に挿入でき、挿入後簡単に取り外すことができ、その結果、男性器を女性器内に自然な挿入状態で保つことができ、夫婦の円満なスキンシップを保つことができ、良好な夫婦関係を維持することができ、仮に高齢夫婦であっても、長年連れ添った信頼関係による精神的なつながりのみならず、肉体的なつながりを確認でき、その後を幸せに仲良く暮らしていくことができる。その結果、ＥＤ等の疾患のために、肉体的なつながりを始めとする夫婦のスキンシップが途絶え、円満な夫婦関係が壊れ、離婚につながる危機や破綻の訪れをなくすことができる。【００４２】  以上、本発明の挿入補助器具について種々の実施形態を挙げて詳細に説明したが、本発明は上記実施形態に限定されず、本発明の主旨を逸脱しない範囲において、種々の改良や変更をしてもよいのはもちろんである。
【図面の簡単な説明】
【００４３】
【図１】  （ａ）、（ｂ）および（ｃ）は、それぞれ本発明の挿入補助器具の一実施形態の正面図、上面図および先端側から見た側面図である。
【図２】  （ａ）および（ｃ）は、それぞれ図１に示す挿入補助器具の分解した状態を示す正面図および側面図であり、（ｂ）は、（ａ）に示す挿入補助器具の下側の補助器具半部の上面図である。
【図３】  （ａ）、（ｂ）および（ｃ）は、それぞれ図１に示す挿入補助器具の装着方法を示す説明図である。
【図４】  （ａ）、（ｂ）、（ｃ）および（ｄ）は、それぞれ図１に示す挿入補助器具の使用方法を示す説明図である。
【図５】  （ａ）および（ｂ）は、それぞれ本発明の挿入補助器具の他の実施形態の正面図、末端側および先端側から見た側面図である。
【図６】  （ａ）および（ｃ）は、それぞれ図５に示す挿入補助器具の分解した状態を示す正面図および側面図であり、（ｂ）は、（ａ）に示す挿入補助器具の下側の補助器具半部の上面図である。
【図７】  （ａ）、（ｂ）および（ｃ）は、それぞれ本発明の挿入補助器具のさらに他の実施形態の正面図、末端側および先端側から見た側面図である。
【図８】  （ａ）および（ｃ）は、それぞれ図７に示す挿入補助器具の分解した状態を示す正面図および側面図であり、（ｂ）は、（ａ）に示す挿入補助器具の下側の補助器具半部の上面図である。
【図９】  （ａ）、（ｂ）および（ｃ）は、それぞれ図７に示す挿入補助器具の一使用形態を示す正面図、末端側および先端側から見た側面図である。
【図１０】  （ａ）、（ｂ）、（ｃ）、（ｄ）、（ｅ）および（ｆ）は、それぞれ図７に示す挿入補助器具の使用方法を示す説明図である。
【符号の説明】
【００４４】  １０，３０，５０  挿入補助器具
１０ａ，３０ａ，５０ａ  先端部
１０ｂ，３０ｂ，５０ｂ  円筒部
１２，１４，３２，３４，５２，５４  補助器具半部
１２ａ，１４ａ，３２ａ，３４ａ，５２ａ，５４ａ  先端半部
１２ｂ，１４ｂ，３２ｂ，３４ｂ，５２ｂ，５４ｂ  円筒半部
１２ｃ，１４ｃ，３２ｃ，３４ｃ，５２ｃ，５４ｃ  鍔
１２ｄ，１４ｄ  頂点
１２ｅ，１４ｅ，３２ｅ，３４ｅ，５２ｅ，５４ｅ  縁部
１６，３６，５６  凸部
１８，３６，５８  凹部
３２ｄ，３４ｄ，５２ｄ，５４ｄ，５２ｆ，５４ｆ  切欠部
３０ｃ，５０ｃ，５０ｅ  開口
５０ｄ  切欠
【図１】
2007283083.tif 000003
【図２】
2007283083.tif 000004
【図３】
2007283083.tif 000005
【図４】
2007283083.tif 000006
【図５】
2007283083.tif 000007
【図６】
2007283083.tif 000008
【図７】
2007283083.tif 000009
【図８】
2007283083.tif 000010
【図９】
2007283083.tif 000011
【図１０】
2007283083.tif 000012